【手続補正書】
【提出日】平成24年4月9日(2012.4.9)
【手続補正１】
【補正対象書類名】特許請求の範囲
【補正対象項目名】全文
【補正方法】変更
【補正の内容】
【特許請求の範囲】
【請求項１】
遊技球が流下可能な遊技領域に設けられる始動領域と、
前記始動領域を遊技球が通過すると特別遊技をおこなうか否かを判定する特別遊技判定手段と、
所定の図柄表示手段において図柄を変動表示させてから前記特別遊技判定手段による判定結果を示す判定図柄を停止表示させる図柄表示制御手段と、
前記特別遊技判定手段により前記特別遊技をおこなうと判定された場合、前記図柄表示制御手段により前記判定図柄が停止表示させられた後に前記特別遊技をおこなう特別遊技実行手段と、
前記特別遊技判定手段により前記特別遊技をおこなうと判定される確率が所定の確率に設定される低確率遊技状態または前記所定の確率よりも高確率に設定される高確率遊技状態で遊技を制御する確率状態制御手段と、
前記図柄表示制御手段により前記図柄が変動表示させられているときに、所定の演出表示手段において演出画像を表示させる演出表示制御手段と、
を備え、
前記特別遊技判定手段は、
第１特別遊技、第２特別遊技および第３特別遊技のうち、何れの特別遊技をおこなうかを特定する種別特定手段を有し、
前記特別遊技実行手段は、
前記種別特定手段により前記第２特別遊技または前記第３特別遊技が特定された場合、前記第１特別遊技が特定された場合よりも短い期間の前記特別遊技をおこない、
前記確率状態制御手段は、
前記低確率遊技状態で遊技を制御しているときに前記特別遊技実行手段により前記第２特別遊技がおこなわれた場合、当該第２特別遊技の終了後、前記高確率遊技状態で遊技を制御可能な高確率遊技状態制御手段と、
前記低確率遊技状態で遊技を制御しているときに前記特別遊技実行手段により前記第３特別遊技がおこなわれた場合、当該第３特別遊技の終了後、前記低確率遊技状態で遊技を制御可能な低確率遊技状態制御手段と、
を有し、
前記演出表示制御手段は、
前記図柄表示制御手段により前記図柄が変動表示させられることに伴って演出図柄画像を変動表示させ、前記判定図柄が停止表示させられることに伴って前記特別遊技判定手段による判定結果を示す判定演出図柄画像を停止表示させる演出図柄表示制御手段を有し、
前記演出図柄表示制御手段は、
前記特別遊技判定手段により前記特別遊技をおこなうと判定された場合、前記特別遊技をおこなうと判定されたことを示す特別遊技演出図柄画像を停止表示させる特別遊技演出図柄表示制御手段と、
前記特別遊技判定手段により前記特別遊技をおこなわないと判定された場合、前記特別遊技をおこなわないと判定されたことを示す非特別遊技演出図柄画像を停止表示させる非特別遊技演出図柄表示制御手段と、
を有し、
前記特別遊技演出図柄表示制御手段は、
前記種別特定手段により前記第１特別遊技が特定された場合、第１特別遊技演出図柄画像を停止表示させ、
前記種別特定手段により前記第２特別遊技または前記第３特別遊技が特定された場合、前記非特別遊技演出図柄画像を一旦停止表示させた後、前記第１特別遊技演出図柄画像と異なる第２特別遊技演出図柄画像を停止表示させることが可能であることを特徴とする遊技機。
【手続補正２】
【補正対象書類名】明細書
【補正対象項目名】発明の名称
【補正方法】変更
【補正の内容】
【発明の名称】遊技機
【手続補正３】
【補正対象書類名】明細書
【補正対象項目名】０００１
【補正方法】変更
【補正の内容】
【０００１】
本発明は、遊技盤上の所定の始動口へ遊技球が入賞するごとに大当たり抽選をおこなう遊技機に関する。
【手続補正４】
【補正対象書類名】明細書
【補正対象項目名】０００７
【補正方法】変更
【補正の内容】
【０００７】
本発明は、上記の従来技術による問題点を解消するため、遊技者の期待感を長時間維持させることができる演出をおこなう遊技機を提供することを目的とする。
【手続補正５】
【補正対象書類名】明細書
【補正対象項目名】０００８
【補正方法】変更
【補正の内容】
【０００８】
前述の課題を解決し、目的を達成するため、本発明は以下の構成を採用した。本発明にかかる遊技機は、遊技球が流下可能な遊技領域に設けられる始動領域と、前記始動領域を遊技球が通過すると特別遊技をおこなうか否かを判定する特別遊技判定手段と、所定の図柄表示手段において図柄を変動表示させてから前記特別遊技判定手段による判定結果を示す判定図柄を停止表示させる図柄表示制御手段と、前記特別遊技判定手段により前記特別遊技をおこなうと判定された場合、前記図柄表示制御手段により前記判定図柄が停止表示させられた後に前記特別遊技をおこなう特別遊技実行手段と、前記特別遊技判定手段により前記特別遊技をおこなうと判定される確率が所定の確率に設定される低確率遊技状態または前記所定の確率よりも高確率に設定される高確率遊技状態で遊技を制御する確率状態制御手段と、前記図柄表示制御手段により前記図柄が変動表示させられているときに、所定の演出表示手段において演出画像を表示させる演出表示制御手段と、を備え、前記特別遊技判定手段は、第１特別遊技、第２特別遊技および第３特別遊技のうち、何れの特別遊技をおこなうかを特定する種別特定手段を有し、前記特別遊技実行手段は、前記種別特定手段により前記第２特別遊技または前記第３特別遊技が特定された場合、前記第１特別遊技が特定された場合よりも短い期間の前記特別遊技をおこない、前記確率状態制御手段は、前記低確率遊技状態で遊技を制御しているときに前記特別遊技実行手段により前記第２特別遊技がおこなわれた場合、当該第２特別遊技の終了後、前記高確率遊技状態で遊技を制御可能な高確率遊技状態制御手段と、前記低確率遊技状態で遊技を制御しているときに前記特別遊技実行手段により前記第３特別遊技がおこなわれた場合、当該第３特別遊技の終了後、前記低確率遊技状態で遊技を制御可能な低確率遊技状態制御手段と、を有し、前記演出表示制御手段は、前記図柄表示制御手段により前記図柄が変動表示させられることに伴って演出図柄画像を変動表示させ、前記判定図柄が停止表示させられることに伴って前記特別遊技判定手段による判定結果を示す判定演出図柄画像を停止表示させる演出図柄表示制御手段を有し、前記演出図柄表示制御手段は、前記特別遊技判定手段により前記特別遊技をおこなうと判定された場合、前記特別遊技をおこなうと判定されたことを示す特別遊技演出図柄画像を停止表示させる特別遊技演出図柄表示制御手段と、前記特別遊技判定手段により前記特別遊技をおこなわないと判定された場合、前記特別遊技をおこなわないと判定されたことを示す非特別遊技演出図柄画像を停止表示させる非特別遊技演出図柄表示制御手段と、を有し、前記特別遊技演出図柄表示制御手段は、前記種別特定手段により前記第１特別遊技が特定された場合、第１特別遊技演出図柄画像を停止表示させ、前記種別特定手段により前記第２特別遊技または前記第３特別遊技が特定された場合、前記非特別遊技演出図柄画像を一旦停止表示させた後、前記第１特別遊技演出図柄画像と異なる第２特別遊技演出図柄画像を停止表示させることが可能であることを特徴とする。
【手続補正６】
【補正対象書類名】明細書
【補正対象項目名】０００９
【補正方法】削除
【補正の内容】
【手続補正７】
【補正対象書類名】明細書
【補正対象項目名】００１０
【補正方法】削除
【補正の内容】
【手続補正８】
【補正対象書類名】明細書
【補正対象項目名】００１１
【補正方法】削除
【補正の内容】
【手続補正９】
【補正対象書類名】明細書
【補正対象項目名】００１２
【補正方法】削除
【補正の内容】
【手続補正１０】
【補正対象書類名】明細書
【補正対象項目名】００１３
【補正方法】削除
【補正の内容】
【手続補正１１】
【補正対象書類名】明細書
【補正対象項目名】００１４
【補正方法】削除
【補正の内容】
【手続補正１２】
【補正対象書類名】明細書
【補正対象項目名】００１７
【補正方法】変更
【補正の内容】
【００１７】
以下に添付図面を参照して、本発明にかかる遊技機の好適な実施の形態を詳細に説明する。以下に示す実施の形態は、本発明にかかる遊技機を、旧第一種のぱちんこ遊技機（いわゆる「デジパチ」）に適用した場合の例である。
【手続補正１３】
【補正対象書類名】明細書
【補正対象項目名】０１７０
【補正方法】変更
【補正の内容】
【０１７０】
以上に説明したように、本発明にかかる遊技機によれば、図柄の変動表示中（実際に発展演出を開始する前）から遊技者に期待感を与えることができ、発展演出の終了時までこの期待感を維持させて、遊技者を退屈させずに遊技させることができる。
【手続補正１４】
【補正対象書類名】明細書
【補正対象項目名】０１７１
【補正方法】削除
【補正の内容】